(57)【要約】【課題】非使用時に摩擦体が汚れることを防止できる熱変色性筆記具を提供する。【解決手段】熱変色性筆記具１は、筒状の本体２の端部に、熱変色性インキの筆跡を摩擦しその際に生じる摩擦熱で該筆跡を熱変色可能な低摩耗性の弾性材料からなる摩擦体３を備え、内部に熱変色性インキを収容する。本体２の摩擦体３側の端部の外周面に螺合可能な筒状の保護部材４を備える。本体２の端部の外周面にオネジ部２１を形成する。保護部材４の内周面にオネジ部２１に螺合可能なメネジ部４１を形成する。保護部材４を本体２に対して回転させることにより、保護部材４の内側から摩擦体３を出没可能に構成した。摩擦体非使用時、保護部材４が摩擦体３外周を包囲し且つ保護部材４の頂部が摩擦体３の頂部より外方に位置し、摩擦体使用時、摩擦体３の頂部が保護部材４の頂部より外方に位置する【選択図】  図２
2014141081.tif 000002
【特許請求の範囲】
【請求項１】
筒状の本体の端部に、熱変色性インキの筆跡を摩擦しその際に生じる摩擦熱で該筆跡を熱変色可能な低摩耗性の弾性材料からなる摩擦体を備え、内部に熱変色性インキを収容した熱変色性筆記具であって、前記本体の摩擦体側の端部の外周面に螺合可能な筒状の保護部材を備え、前記本体の端部の外周面にオネジ部を形成し、前記保護部材の内周面に前記オネジ部に螺合可能なメネジ部を形成し、前記保護部材を前記本体に対して回転させることにより、前記保護部材の内側から前記摩擦体を出没可能に構成したことを特徴とする熱変色性筆記具。
【請求項２】
摩擦体非使用時、前記保護部材が前記摩擦体外周を包囲し且つ前記保護部材の頂部が前記摩擦体の頂部より外方に位置し、摩擦体使用時、前記摩擦体の頂部が前記保護部材の頂部より外方に位置する請求項１記載の熱変色性筆記具。
【請求項３】
本体の端部に、熱変色性インキの像または筆跡を摩擦しその際に生じる摩擦熱で該像または筆跡を熱変色可能な低摩耗性の弾性材料からなる摩擦体を備えた摩擦具であって、前記本体の摩擦体側の端部の外周面に螺合可能な筒状の保護部材を備え、前記本体の端部の外周面にオネジ部を形成し、前記保護部材の内周面に前記オネジ部に螺合可能なメネジ部を形成し、前記保護部材を前記本体に対して回転させることにより、前記保護部材の内側から前記摩擦体を出没可能に構成したことを特徴とする摩擦具。
【請求項４】
摩擦体非使用時、前記保護部材が前記摩擦体外周を包囲し且つ前記保護部材の頂部が前記摩擦体の頂部より外方に位置し、摩擦体使用時、前記摩擦体の頂部が前記保護部材の頂部より外方に位置する請求項３記載の摩擦具。
【発明の詳細な説明】
【技術分野】
【０００１】
本発明は、熱変色性インキを内蔵し、一端に、前記熱変色性インキの筆跡を摩擦しその際に生じる摩擦熱で該筆跡を熱変色可能な摩擦体を備えた熱変色性筆記具、及び熱変色性インキの像または筆跡を摩擦しその際に生じる摩擦熱で該像または筆跡を熱変色可能な低摩耗性の弾性材料からなる摩擦体を備えた摩擦具に関する。
【背景技術】
【０００２】
従来、熱変色性筆記具において、軸胴の後端やキャップの頂部に摩擦体を設ける構成が開示されている。（例えば、特許文献１）。
【先行技術文献】
【特許文献】
【０００３】
【特許文献１】特開２００７−２２３３０２号公報
【発明の概要】
【発明が解決しようとする課題】
【０００４】
前記特許文献１の熱変色性筆記具は、摩擦体が常に外部に露出している。そのため、非使用時、ユーザーの指先が摩擦体に接触したり、あるいは熱変色性筆記具を収納体（例えば、ペンケース、ペン立て、または衣服のポケット等）に収納して保管した際に該収納体の内面（例えば、ペンケースの内面、ペン立ての底面、または衣服のポケット内面等）と摩擦体とが接触することにより、摩擦体表面に手垢や埃等が付着し、摩擦体表面が汚れ、さらにその汚れた状態の摩擦体を用いて紙面を摩擦すると、紙面が汚れる不具合があった。
【０００５】
本発明は前記従来の問題点を解決するものであって、非使用時に摩擦体が汚れることを防止できる熱変色性筆記具及び摩擦具を提供しようとするものである。
【課題を解決するための手段】
【０００６】
本願の第１の発明は、筒状の本体２の端部に、熱変色性インキの筆跡を摩擦しその際に生じる摩擦熱で該筆跡を熱変色可能な低摩耗性の弾性材料からなる摩擦体３を備え、内部に熱変色性インキを収容した熱変色性筆記具であって、前記本体２の摩擦体３側の端部の外周面に螺合可能な筒状の保護部材４を備え、前記本体２の端部の外周面にオネジ部２１を形成し、前記保護部材４の内周面に前記オネジ部２１に螺合可能なメネジ部４１を形成し、前記保護部材４を前記本体２に対して回転させることにより、前記保護部材４の内側から前記摩擦体３を出没可能に構成したことを要件とする。
【０００７】
前記第１の発明の熱変色性筆記具１は、前記本体２の摩擦体３側の端部の外周面に螺合可能な筒状の保護部材４を備え、前記本体２の端部の外周面にオネジ部２１を形成し、前記保護部材４の内周面に前記オネジ部２１に螺合可能なメネジ部４１を形成し、前記保護部材４を前記本体２に対して回転させることにより、前記保護部材４の内側から前記摩擦体３を出没可能に構成したことにより、簡易な構造で、非使用時の摩擦体３の汚れを防止できる。なお、前記本体２とは、例えば、内部に熱変色性インキが収容され且つ一端にペン先を備えた軸筒、または、前記軸筒のペン先側に着脱可能なキャップが挙げられる。
【０００８】
本願の第２の発明は、前記第１の発明の熱変色性筆記具１において、摩擦体非使用時、前記保護部材４が前記摩擦体３外周を包囲し且つ前記保護部材４の頂部が前記摩擦体３の頂部より外方に位置し、摩擦体使用時、前記摩擦体３の頂部が前記保護部材４の頂部より外方に位置することを要件とする。
【０００９】
前記第２の発明の熱変色性筆記具１は、摩擦体非使用時、前記保護部材４が前記摩擦体３外周を包囲し且つ前記保護部材４の頂部が前記摩擦体３の頂部より外方（即ち摩擦体突出方向外方）に位置し、摩擦体使用時、前記摩擦体３の頂部が前記保護部材４の頂部より外方（即ち摩擦体突出方向外方）に位置することにより、摩擦体使用時は保護部材４が本体２に取り付けられているため保護部材４の紛失を防止できる。
【００１０】
本願の第３の発明は、本体２の端部に、熱変色性インキの像または筆跡を摩擦しその際に生じる摩擦熱で該像または筆跡を熱変色可能な低摩耗性の弾性材料からなる摩擦体３を備えた摩擦具であって、前記本体２の摩擦体側の端部の外周面に螺合可能な筒状の保護部材４を備え、前記本体２の端部の外周面にオネジ部２１を形成し、前記保護部材４の内周面に前記オネジ部２１に螺合可能なメネジ部４１を形成し、前記保護部材４を前記本体２に対して回転させることにより、前記保護部材４の内側から前記摩擦体３を出没可能に構成したことを要件とする。
【００１１】
前記第３の発明の摩擦具１は、前記本体２の摩擦体側の端部の外周面に螺合可能な筒状の保護部材４を備え、前記本体２の端部の外周面にオネジ部２１を形成し、前記保護部材４の内周面に前記オネジ部２１に螺合可能なメネジ部４１を形成し、前記保護部材４を前記本体２に対して回転させることにより、前記保護部材４の内側から前記摩擦体３を出没可能に構成したことにより、簡易な構造で、非使用時の摩擦体３の汚れを防止できる。尚、本発明の摩擦具１の本体は、内部に熱変色性インキを内蔵せず、一端にペン先を備えない。
【００１２】
本願の第４の発明は、前記第３の発明の摩擦具において、摩擦体非使用時、前記保護部材４が前記摩擦体３外周を包囲し且つ前記保護部材４の頂部が前記摩擦体３の頂部より外方に位置し、摩擦体使用時、前記摩擦体３の頂部が前記保護部材４の頂部より外方に位置することを要件とする。
【００１３】
前記第４の発明の摩擦具１は、摩擦体非使用時、前記保護部材４が前記摩擦体３外周を包囲し且つ前記保護部材４の頂部が前記摩擦体３の頂部より外方（即ち摩擦体突出方向外方）に位置し、摩擦体使用時、前記摩擦体３の頂部が前記保護部材４の頂部より外方（即ち摩擦体突出方向外方）に位置することにより、摩擦体使用時は保護部材４が本体２に取り付けられているため保護部材４の紛失を防止できる。
【００１４】
本発明において、前記摩擦体３を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体３を構成する弾性を有する合成樹脂は、高摩耗性の弾性材料（例えば、消しゴム等）ではなく、摩擦時に摩耗カス（消しカス）が殆ど生じない低摩耗性の弾性材料である。本発明において、前記保護部材４は、合成樹脂（例えば、ポリカーボネイト、ポリエチレン、ポリプロピレン、ポリアセタール、ＡＢＳ樹脂等）または金属から構成されることが好ましい。また、前記本体２は、合成樹脂（例えば、ポリカーボネイト、ポリエチレン、ポリプロピレン、ポリアセタール、ＡＢＳ樹脂等）または金属から構成されることが好ましい。
【発明の効果】
【００１５】
本発明の熱変色性筆記具は、非使用時に摩擦体が汚れることを防止できる。
【００１６】
本発明の摩擦具は、非使用時に摩擦体が汚れることを防止できる。
【図面の簡単な説明】
【００１７】
【図１】本発明の実施の形態の摩擦体使用時の要部縦断面図である。
【図２】図１の摩擦体非使用時の要部縦断面図である。
【発明を実施するための形態】
【００１８】
図１及び図２の本発明の実施の形態の熱変色性筆記具１及び摩擦具１を示す。
筒状の本体２の一端に、低摩耗性の弾性材料（例えば、シリコーン樹脂、ＳＢＳ樹脂、ＳＥＢＳ樹脂）からなる摩擦体３が設けられる。前記摩擦体３の頂部または頂部周縁には、凸曲面を備える。
【００１９】
前記本体２の摩擦体３側の外周面に、筒状の保護部材４が螺合される。前記本体２は、合成樹脂または金属により形成される。
【００２０】
熱変色性筆記具１の場合、前記本体２は、例えば、内部に熱変色性インキが収容され且つ該熱変色性インキが吐出可能なペン先を一端に備えた軸筒、または、前記軸筒のペン先側に着脱自在のキャップが挙げられる。前記本体２が軸筒の場合、軸筒の反ペン先側の端部に摩擦体３が設けられる。前記本体２がキャップの場合、キャップの閉鎖側端部に摩擦体３が設けられる。また、摩擦具１の場合、本体２の内部には熱変色性インキが収容されず、本体２の一端にペン先を備えない。
【００２１】
前記本体２の摩擦体３側の外周面には、オネジ部２１が形成される。前記オネジ部２１の後方には、段部２２が形成される。摩擦体使用時、前記段部２２に保護部材４の端部が当接され、摩擦体使用時の摩擦体３の突出状態を一定に維持できる（図１）。前記本体２のオネジ部２１の外径は、摩擦体３の外部に突出する部分の外径より大きく形成される。前記保護部材４の長手寸法は、摩擦体３の突出長さより長く設定される。
【００２２】
また、図示はしないが、前記本体２と前記保護部材４との間に、摩擦体非使用時（即ち保護部材４が前記摩擦体３外周を包囲し且つ保護部材４の頂部が摩擦体３の頂部より外方に位置した状態のとき）にオネジ部２１とメネジ部４１との回転または保護部材４と本体２との長手方向の移動を阻止するとともに一時的に本体２と保護部材４が係止する係止部を設けることが好ましい。それにより、摩擦体非使用時、本体２からの保護部材４の脱落を確実に防止するとともに、保護部材４が不用意に回転して、摩擦体３の頂部が保護部材４の頂部より外方に突出することを回避できる。
【００２３】
前記保護部材４は、合成樹脂または金属により形成される。前記保護部材４は、両端が開口した筒体であり、その内面にメネジ部４１が形成される。前記メネジ部４１が前記本体２のオネジ部２１に螺合可能である。
【００２４】
前記保護部材４の内径は、摩擦体３の外部に突出する部分の外径より大きく形成される。それにより、保護部材４の内部を、摩擦体３の外部に突出する部分が遊挿可能となる。前記保護部材４の外面の形状は、横断面円形状、横断面多角形状、横断面異形状等挙げられる。また、前記保護部材４の外面に、滑り止め用の凹凸部を形成することもできる。
【００２５】
本実施の形態の熱変色性筆記具１及び摩擦具１は、前記本体２の摩擦体３側の端部の外周面に螺合可能な筒状の保護部材４を備え、前記本体２の端部の外周面にオネジ部２１を形成し、前記保護部材４の内周面に前記オネジ部２１に螺合可能なメネジ部４１を形成し、前記保護部材４を前記本体２に対して回転させることにより、前記保護部材４の内側から前記摩擦体３を出没可能に構成したことにより、簡易な構造で、非使用時の摩擦体３の汚れを防止できる。
【００２６】
本実施の形態の熱変色性筆記具１及び摩擦具１は、摩擦体非使用時、前記保護部材４が前記摩擦体３外周を包囲し且つ前記保護部材４の頂部が前記摩擦体３の頂部より外方（即ち摩擦体突出方向外方）に位置し、摩擦体３使用時、前記摩擦体３の頂部が前記保護部材４の頂部より外方（即ち摩擦体突出方向外方）に位置することにより、摩擦体使用時は保護部材４が本体２に取り付けられているため保護部材４の紛失を防止できる。
【符号の説明】
【００２７】
１  熱変色性筆記具及び摩擦具
２  本体
２１  オネジ部
２２  段部
３  摩擦体
４  保護部材
４１  メネジ部
【図１】
2014141081.tif 000003
【図２】
2014141081.tif 000004